(57)【要約】      （修正有）【課題】人体やペットの既成ハンガー全種類のハンガーフック下部や、各種フック、ワイヤーネット、各種棒体などに取り付け掛止し、衣類を掛けたハンガーやネクタイ、スカーフ、ベルト、装飾品などをきわめて簡単に安定状態に吊り下げて、掛け外しの操作も容易に出来、収納量のアップや陳列も出来、しかも吊り下げた際に、企業名や商品名、名前などを人が視認することが出来るリング吊り下げ器具を提供する。【解決手段】ひとつのリング上部に連結貫通穴を設け、掛止部材を挿通して留め輪で固定するという極めて簡易な構成であるが、嵩張らないことや、小さくて、軽く、薄肉な形成であるので、フックや棒体などに平易に取り付けが出来て、該リング部分に、用途別に多目的に吊り下げて幅広く便利に利用できることを特徴としたリング式吊り下げ器具である。【選択図】図１
0003120959.tif 000002
【実用新案登録請求の範囲】
【請求項１】
人体やペットの既成ハンガー本体に、該リング吊り下げ器具を取り付け掛止し、別のハンガーをその下であって、物を吊り下げるリング内側形状をハート形（Ｒｕ）及び円形（Ｒｕａ）に施し、外側形状（Ｒｓ）は、ハートや動物、花、などの形状を設け、内側形状（Ｒｕ），（Ｒｕａ）と外側形状（Ｒｓ）の中間部（Ｎ）のスペースに企業名や商品名、名前などを施せる間隔を有し、その上部に掛止部材が挿通可能な貫通穴（Ｒａ）を設け、掛止部材（Ｋ）を、輪形掛止部（Ｋ１）と紐形掛止部（Ｋ２）の連結貫通穴（Ｒａ）に挿通しゴム留め輪（Ｋ１ａ）（Ｋ２ａ）で固定し、紐形掛止部（Ｋ２）の先端はキャツプ（Ｋ２ｂ）を嵌めて形成した極めて簡易で便利なことを特徴とするリング式吊り下げ器具。
【請求項２】
衣類を掛けるハンガーにおいて、複数を連結して掛けられたハンガーを引掛け棒の横列に連ねるように重ね吊りした場合、特に掛け外しに手間をかけず容易に操作が出来るようにするために、ハンガーフックを吊り下げる内側は、ハンガーフックが突っかからないように、滑らかなハート形（Ｒｕ）及び円形（Ｒｕａ）なる形状にして、片手で掛け外しが容易にできるように、前後左右動自在にスイングする機能を持たせるための部材として、掛止部材（Ｋ）に屈曲自在なるワイヤーモールなる部材を輪形掛止部（Ｋ１）と紐形掛止部（Ｋ２）に施したことを特徴とする請求項１記載のリング式吊り下げ器具。
【請求項３】
前記、輪形掛止部（Ｋ１）を、衣類ハンガー中央フック先端（Ｆ１）から挿通して取り付け掛止し、別のハンガーに輪形掛止部（Ｋ１）を取り付け掛止した衣類ハンガーを、図４如く多段式に掛止でき、また紐形掛止部（Ｋ２）は、縦の長さを短縮して衣類ハンガー中央フック部に捻止をして取り付けることにより、吊り下げられる衣類ハンガーの数が増やせ、衣類ハンガー以外でも自在に取り付け掛止して多目的に、使用可能なることを特徴とした請求項２載のリング式吊り下げ器具。
【請求項４】
貫通穴（Ｒａ）の方向を前面に設け、重ね吊りの際、厚みの負担を軽くし、使い易さを特徴とした請求項２。３記載のリング式吊り下げ器具。
【請求項５】
該、輪形掛止部（Ｋ１）紐形掛止部（Ｋ２）は、人体やペット用衣類既成ハンガーの全種類に取り付け掛止することが出来、しかも全種類のハンガーにジョイントして使用できることを最大の特徴とし、図５に示す如く、上着と、スカート、シャツ、スカーフを陳列できるので、衣類のデザインや色合いのコーディネートもトータルに確認でき、フアッシヨン性を向上させられることが出来ることを特徴とした請求項２・３・４記載のリング式吊り下げ器具。
【請求項６】
該、リング（Ｒ）は、用途別に拡大又は縮小に形成し、Ｆ２の各種フックやワイヤーネット、Ｂ２の棒体など掛止希望の場所に簡単に捻止して取り付けられる紐形掛止部材（Ｋ２）を施し、物を吊り下げる内側（Ｒｕ）に図６のネクタイ、スカーフ、ストール、タオル、バスタオル、ベルト、アクセサリーなど多種類の物を掛けて多目的に使用できる利便性を特徴とした請求項２・３・４・５記載のリング式吊り下げ器具。
【請求項７】
該、リング（Ｒｓ）外側形状にハートや動物、花、を施し、子供から大人まで幅広く、生活のパートナーとして、可愛らしさや楽しさ、美しさ，貴品などを感じられることに気配りをしたことを特徴とした請求項２・３・４・５・６記載のリング式吊り下げ器具。
【請求項８】
該、ハート形及び円形の内側（Ｒｕ）と外側（Ｒｓ）の中心部（Ｎ）の空間に企業名や商品名、名前、絵柄などが施すことができる範囲に形成したことを特徴とした請求項２・３・４・５・６・７記載のリング式吊り下げ器具。方に連ねるように吊り下げるハンガージョイントとして、又各種フック部やカバンの持ち手、ワイヤーネット、各種棒体などに取り付け掛止して、該本体に多種類の物が吊り下げられるリング式吊り下げ器具
【考案の詳細な説明】
【技術分野】
【０００１】
本考案は、物を掛ける為のリング吊り下げ器具に係り、日頃使用している既存の衣類ハンガー本体の全種類フック下部に取り付け掛止して、上着やインナー、スカート、ズボン、ネクタイ、スカーフを一つ一つのハンガーに掛けて多数をジョイントすることにより衣類の収納量がアップでき、陳列した際にトータルコーディネートが出来るようにした。また安定した状態で吊り下げができ、ハンガーの掛け外しの操作性も向上させた。また吊り下げした際に、企業名や、商品名、名前などを施すのが困難な衣類用ハンガージョイントであっても、該器具を取り付け掛止すれば衣類の吊り下げの際、企業名や商品名、名前などを人が視認することが出来、さらに楽しくなれるようなデザインとハンガーの掛け外しを容易にできるように、該本体の構成に工夫を凝らし、ハンガーフックや、各種フック部、ワイヤーネット、カバンの持ち手、各種棒体にも、極めて簡単に取り付け掛止ができるようにし、用途別に多目的に使えるリング式吊り下げ器具に関するものである。
【背景技術】
【０００２】
衣類を掛けるハンガージョイントにおいて、ジョイント部分のフックや穴が小さく、しかも一連の厚みのある縦長形状固定型の形成で、前後左右動自在なるスイングがない為に、ハンガー中央部のフック部下方に、別のハンガーを多数重ね吊りしたハンガーを、横列の状態に引っ掛け棒に複数掛けた場合、ハンガージョイントと衣類の嵩張りや厚みにより、前後縦横が嵩張るためハンガーを掛ける場合、又ハンガーから取り外す場合、前、後、下衣に引っ掛かり、ハンガーを掛け外すことが困難で、操作が煩雑で操作性が悪かった。
【０００３】
また、従来のハンガージョイントは、ジョイントできる衣類ハンガーが限定され、人体やペットの全種類の既成ハンガーにジョイントできないので、用途別に多目的に使用できる利便性はなかった。
【０００４】
衣類ハンガーは、実用品として毎日使用し注視しているので、ジョイント自体が美しく可愛らしくあれば、図り知れないほどの効果が期待されるが、従来のハンガージョイントのデザインは、実用品的なものが殆どであった。
【０００５】
従来から、衣類ハンガーは、人体の肩部に対応した形状をなしたハンガー本体と、該ハンガー本体と間隔を有するようにハンガー本体の下部に両端が固定された棒体と、前記ハンガー本体の上部に回転自在に取り付けられたフック材とで構成されたものが周知である。
【０００６】
かかるハンガーで上着とスカート又はズボン、ネクタイ、スカーフをコーディネートして陳列する場合、ハンガー本体に上着を掛け、ハンガーの棒体にスカートまたはズボンが掛けられて陳列される。このように掛ければ上着のみしか見えなくなり、スカートまたはズボンのデザインや色合いのコーディネートが確認しにくくなる。またネクタイやスカーフを連ねるように掛けることが出来ないので、一連にトータルコーディネートして吊り下げることが出来なかった。
【０００７】
各種製品の販売促進、各種企業や店舗の宣伝、広告の目的で街頭にてチラシ配布を容易にするために、ポケットティシュやうちわなどの実用品を無料配布することがなされている。しかしチラシは一顧して捨てられることも多いが、実用品は身の回りにおいて毎日使用し、注視しているので、その実用品自体の形状が美しく、可愛らしくあれば自然と明るく楽しくなり、夢なども感じられる可能性がある。そしてそのもの自体に企業名や名前、絵柄、電話番号などが明示してあれば、その効果は極めて高いものとなる。ゆえに従来のハンガーフックジョイントである細い棒体を屈曲して形成されているものと、ハンガー本体に縦長の棒体形状が垂下されているものには、企業名や名前、絵柄、電話番号などをジヨイント自体に施すことができない。また配布の方法は配布者が街頭に立って歩行者等に手渡したりポストに入れたりするから、重たい、大きい、長い、厚いハンガージョイントなるものは宣伝広告には不向きである。そのうえ搬送費用もかかる。
【０００８】
一方、新聞や情報紙、雑誌に宣伝内容を掲載したり、折り込み広告がされているが、やはり単なる記事やチラシである場合よりは、実用品として用いられ、使い捨てではなく毎日年間を通して使用し、注視できるものがその宣伝効果が高い。故に嵩張らない、軽い、小さい、薄肉であるリング形状の物が、配布や搬送に際して有利であり、運搬費、製造費用も掛からないという優位性と併せて一般品以上の商品価値を有するものとなり、無料で配布する宣伝用だけでなく、購買価値を有する独立した商品となることが見込まれるところであるが、従来のハンガージョイントでは難しいところである。
【０００９】
【特許文献１】特開Ｈ６-38226号公報
【特許文献２】特開Ｓ63-83082号公報
【特許文献３】特開Ｓ62-100085号公報
【特許文献４】特開2004-248953号公報
【特許文献５】特開2002-336117号公報
【非特許文献１】スチールハンガーフック、株式会社サワフジ製（市販品）、
【考案の開示】
【考案が解決しようとする課題】
【００１０】
しかしながら、一般家庭での上着やブラウス、シゃツ、スカート、ネクタイなどの衣類は、ハンガーに掛けてクローゼットなどの引掛け棒に吊り下げて収納しているが、収納できるスペースが限られているので吊り下げられないほかの衣類は、整理ダンスやケースに折りたたんで収納している。ところが着用したい目的の衣類を探すのも、デザインや、色、柄なども忘れていることもあり、洋服のコーディネートや、折ジワにアイロンをかける作業に、極めて手間がかかり、収納してあることさえ忘れることもある。このような衣類を効率よく美整理が出来、収納量アップを図れることを目的に、ハンガージョイントによってなされていたが、衣類の嵩張りや、厚みが出る為、多数掛けたハンガーを横列に連ねるように掛けた場合、衣類を掛けたハンガーとハンガーの間のハンガーを掛け外す時に手間がかかり、操作が困難であった。
【００１１】
また、ハンガーフックジョイントは、金属製の細い棒体を曲げた形成と、板材を屈曲して形成されているものであるから、全種類の既存のハンガーフックにジョイントすることや、企業名や名前などを施すことが困難であったが、それらのハンガーフックを採用した場合であっても、全種類のハンガーフックに取り付け掛止することが出来、収納量アップ及び操作性の向上が図れ、更に衣類を陳列した際に、企業名や名前などを、人が視認することが出来るリング式吊り下げ器具を提供することを課題とする。
【課題を解決するための手段】
【００１２】
本考案は、上記を鑑みてなされたもので、縦長一連に多数のハンガーを積み重ねてジョイントし、クローゼットの限られたスペースに、縦のスペースを有効利用して、一本分のスペースに、図6の５枚分の上着やインナー、シャツ、ブラウス、スカート、ズボンなどを吊るして、横に順次掛けることにより、収納量も5倍にアップし、衣類のたたみジワも気にすることなく美整理が出来、コーディネートや，衣類の掛け外しの操作も簡単に出来るようにした。前記請求項1に記載の如く、一般家庭で使用されている既存のハンガー全種類と、クリーニングから戻ってきたハンガーのフック部分に、図1の該吊り下げ器具を取り付け掛止し、図4のハンガーの下部に、別のハンガーを連ねるように多数を吊り下げる、リング式吊り下げ器具であって、物を吊り下げるリング部材を加工自在なるポリプロピレンで形成し、内側（Ｒu）を突っかからない、滑りの良いハート形（Ｒｕ）、及びリング形（Ｒｕａ）にし、片手でも容易に掛け外しが出来るように直径３０ミリ以上に施し、幅に余裕を持たせて自在動が出来るようにした。また固定型形状の従来の金属性の細い棒体を曲げた形成と、板材を屈曲した形成のジョイントは、前後左右動がないので、ハンガージョイントを連ね多数掛けた衣類を、図6の横列に連ねて掛けた場合、ハンガージョイント自体の嵩張りや、衣類の厚みで、掛け外しに手間がかかり、操作性が困難であったジョイント部分に前後左右動自在にスイング出来る機能を持たせる為、掛止部材（Ｋ）に屈曲自在なるワイヤーモール部材を用いて輪形掛止部（Ｋ１）、紐形掛止部（Ｋ２）を設けて解決。又ジョイントの厚みの負担を軽くする為に、該部材を挿通する貫通穴（Ｒａ）を前面方向に施して解決した。また、リング部材のポリプロピレン及び掛止部材（Ｋ）の、ワイヤーモール部材は、その部材に限定されるものではなく適宜変えても良い。更に従来の衣類ハンガーその本体のフック部にリング式吊り下げ器具を取り付けて形成することも出来る。
【００１３】
又、上記構成の輪形掛止部（Ｋ１）と，紐形掛止部（Ｋ２）のリング式吊り下げ器具を採用すれば、ハンガーフック掛止部の解除が可能なので、リング式吊り下げ器具をハンガーフック（Ｆ１）から容易に取り外すことが出来、また別のハンガーへ容易に転用することが出来る。更にリング外側（Ｒｓ）はハート、動物、花などのデザインで形成され、その内側（Ｒｕ），（Ｒｕａ）との中間（Ｎ）のスペースに企業名や名前などを印刷することが出来る。企業名や名前などが印刷された、リング式吊り下げ器具を、図5のハンガーフック（Ｆ１）に掛止し、ハンガー（Ｈａ）に上着を掛け、その下にスカート、その下にシャツ、シャツを掛けたハンガーフックにリング式吊り下げ器具を掛止してスカーフを吊り下げた際に、衣類のデザインや色合いのコ―デイネートをトータル的に確認が出来る。その上、すべてハンガーフック（Ｆ１）掛止部にリング式吊り下げ器具を掛止したリング部分で、人が容易に企業名や名前などを認識することが出来る。又これらのデザインは、動物や花、星などに限定するものではなく必要に応じてどのようなデザインにしても良い。
【００１４】
更に印刷内容(図柄等)は、目的や想定される購買店の嗜好等に応じて適宜選定すれば良く、前述のように各種製品の販売促進、店舗の宣伝広告の目的でリング式吊り下げ器具を無料配布するのであれば企業名などを、又記念日の贈り物としては名前などを印刷すればよい。又独立した商品としてリング式吊り下げ器具を市販するのであれば美麗な花や貴品ある模様や絵柄などを印刷し、リング自体のカラーも適宜変えてよい。
【考案の効果】
【００１５】
以上の如く、本考案にかかるリング式吊り下げ器具を、既存の全種類のハンガーと、クリーニングから戻ってきたハンガーのフック部分及び各種フック、ワイヤーネット、棒体などに取り付け掛止、または捻止して取り付けして安定した状態で吊り下げられ、煩雑であった掛け外しの操作性も容易になり、クローゼットの限られたスペースの縦のスペースを有効利用して、一本分のスペースに5枚分を吊るし、その5枚分のハンガーを横列に複数吊るせば収納量が5倍にアップ出来る。また陳列した際に企業名や商品名、名前などを施すのが困難な衣類ハンガーを採用した場合であっても、人が企業名や商品名、名前などを明瞭に視認することが出来る。またデザイン性が楽しさや夢を感じさせる。
【００１６】
したがって、本考案のリング式吊り下げ器具は、各種製品の販売促進、各種店舗の宣伝、広告の目的で、街頭にて無料配布する際には、搬送や配布が有利である。またリング自体に企業名や名前などを印刷しておけば、実用品として身の回りにおいて使用される為、宣伝効果が極めて高いものとなる。また従来の一般品に比べて優れた実用的価値を有るので、購買価値を有する商品となる。
【考案を実施するための最良の形態】
【００１７】
以下本考案にかかる、リング式吊り下げ器具の実施形態を、図面を参照しつつ説明する。
【００１８】
図1は、  本考案にかかる、リング式吊り下げ器具を示す平面図であり、リング（Ｒ１）外側形状、ハート形（Ｒｓ）と内側形状、ハート形（Ｒｕ）及びリング（Ｒ６）外側形状円形（Ｒｓ）、内側形状円形（Ｒｕａ）を示し、上部に掛止連結貫通穴（Ｒａ），を前方向に設け、衣類の嵩張りや、厚みの負担を軽くし、貫通穴（Ｒａ）は、掛止部材（Ｋ）が挿通できるサイズにし、掛止部材（Ｋ）にワイヤーモールを選定して輪形掛止部（Ｋ１）、紐形掛止部（Ｋ２）を施し、衣類の嵩張りや厚みの負担を軽くし、掛止部に前後左右動自在にスイングする機能を設けて操作性を向上させた。またリング（Ｒ１），（Ｒ６）の外側（Ｒｓ）と内側（Ｒｕ）、（Ｒｕａ）の中間部（Ｎ）のスペースに企業名や商品名、名前などを施すことが出来る。
【００１９】
以上の構成で各々の貫通穴（Ｒａ）に挿通して施されたもので、嵩張らない、軽い、小さい、薄肉の簡易な形成で極めて便利な実用品であり、前記に記載したように宣伝の際の配布や搬送が有利であり、使い捨てではなく毎日通年使用できる優位性がある。
【００２０】
図2は、リング式吊り下げ器具の分解図で、リング（Ｒ１）と貫通穴（Ｒａ）の一体と、ゴム輪（Ｋ１ａ），（Ｋ２ａ）と、紐形の先端部分に嵌めるキヤップ（Ｋ２ｂ）、そしてワイヤーモール部材（Ｋ）を示した。輪形及び紐形の掛止部を選択して各々構成することが出来、輪形掛止部（Ｋ１）は、ハート形リング（Ｒ１）の貫通穴（Ｒａ）にワイヤーモール（Ｋ）を挿通し、真半分に折曲して二本を結び、輪の長さを調節しながら絡めるように捻り輪にし、貫通穴の上部付近にゴム留め輪で固定して形成した。また紐形掛止部（Ｋ２）は、ハート形リング（Ｒ１）の貫通穴（Ｒａ）にワイヤーモール（Ｋ）を挿通し、真半分に屈曲して二本を結び、貫通穴（Ｒａ）の上部付近にゴム留め輪で固定し、紐形の先端にキヤップ（Ｋ２ｂ）を嵌めて固定して形成した極めて簡易な構成である。又掛止部材のワイヤーモール（Ｋ）先端のワイヤーの安全性を確保して加工してあれば、ゴム留め輪及びキヤップを使わずワイヤーモールのみで形成しても良い。
【００２１】
以上の如く、簡易な構成であるが、利便性と実用的価値を有し、製造、運搬も容易であり、また製造費用、運搬費用も掛からないという優位性がある。
【００２２】
図3は、リング式吊り下げ器具の紐形掛止部（Ｋ２）をフック（Ｆ２）に捻止して取り付けた状態及びハンガーフックに捻止して取り付ける方法の過程である正面図と、ハンガーフックに捻止して取り付けた状態の背面図である。
【００２３】
該、器具が平易に取り付け出来ることを示している。
【００２４】
図4は、既存の衣類用全種類のハンガーフックと、クリーニングから戻ってきたハンガーフック下部に極めて平易に掛止できることを示した図で、衣類ハンガーフックに（Ｈａ）輪形掛止部（Ｋ１）をフック（Ｆ１）先端から挿通してフック下部前面に取り付け掛止する方法の過程と、多種類のハンガーフック（Ｈａ）、(Ｈｂ)、（Ｈｃ），（Ｈｄ），（Ｈｅ）に、ハート形(Ｒ１)や動物（Ｒ２），（Ｒ３）、花（Ｒ４），花柄（Ｒ５）などのデザインの、該、器具を掛止して連ねて吊り下げた正面図と輪形掛止部をハンガーフック（Ｆ１）に掛止した状態の背面図である。
【００２５】
したがって、限られたクローゼットのスペースの、縦のスペースを有効利用して、一枚分を掛けるスペースに5枚分を吊るして収納量を5倍にアップ出来るので、タンスやケースに折りたたんで収納してある衣類をスッキリと美整理することが出来ることを示している。
またリングのデザインは、企業や個人の嗜好や目的などで適宜変更して形成できる独自性のある実用品である。
【００２６】
図5は、既存のハンガーフックにリング式吊り下げ器具を掛止したハンガーを用いて上着を掛けたハンガーにスカートを掛け、スカートを掛けたハンガーにシャツを掛け、シャツを掛けたハンガーに掛止したリング吊り下げ器具にスカーフを安定した状態で陳列できることを示した正面図である。
【００２７】
衣類を陳列した際に衣類のデザインや色合い柄などのコーディネートを、トータル的に確認することが出来るので、ファッション性を向上させることが出来る。
また陳列した上着を掛けたハンガーにリング吊り下げ器具を掛け、リング中央部分（Ｎ）に企業名や名前などを印刷して明示すれば、人が毎日しかも通年、視認している実用品なので、宣伝効果が高いものとなる。
【００２８】
図6は、同実施形態にかかるハンガーフックにリング吊り下げ器具を取り付け掛止して、衣類を掛けたハンガーを多段式に掛止した別のハンガーを棒体横列に複数吊り下げて、縦の棒体に拡大して形成した紐形リング吊り下げ器具を捻止して取り付け、そのリング部分にネクタイを吊り下げた斜視図である。
【００２９】
前記のように掛けた場合でも、安定して掛けられ、掛け外しの際の操作性もよく、収納量もアップして、スッキリと収納し美整理が出来ることを示している。尚、リングは、目的や用途によって拡大、縮小しても良く、ネクタイの部分にベルトやストールなどを吊るしてもよいので、多目的に便利に使用できることを示している。
【図面の簡単な説明】
【００３０】
【図１】本考案にかかるリング式吊り下げ器具の平面図である
【図２】同考案の分解図である。
【図３】同実施形態にかかる紐形掛止部をフック及びハンガーフックに取り付け掛止した状態と掛止段階の正面図とハンガーに捻止して取り付けた状態の背面図である。
【図４】同実施形態にかかる輪形掛止部を衣類ハンガーフック先端から挿通する段階と、ハンガーフック下部に取り付け掛止した多種類のデザインのリングの一例と、既存ハンガーの多種類の一例を示し、多段式に吊り下げた正面図と、輪形掛止部を取り付け掛止した状態の背面図である。
【図５】同実施形態にかかるリング吊り下げ器具を用いて上着を掛けたハンガーにスカートを掛け、スカートを掛けたハンガーにシャツを掛け、シャツを掛けたハンガーに取り付け掛止したリング式吊り下げ器具にスカーフを吊り下げた正面図である。
【図６】同実施形態にかかるハンガーフックに該リング輪形掛止部を多段式に掛止した別のハンガーフックを、横列に吊り下げた斜視図と、棒体部分に該リング紐形掛止部を捻止して取り付けた該リング部分にネクタイを吊り下げた斜視図である。
【符号の説明】
【００３１】
Ｒ１・・・ハート形リング
Ｒ２，Ｒ３・・・動物形輪形リング
Ｒ４・・・花形輪形リング
Ｒ５・・・花模様入り輪形リング
Ｒ６・・・星模様入り輪形リング
Ｒ７・・・輪形リング
Ｒ８・・・拡大輪形リング
Ｒｕ・・・リング内側形状
Ｒｓ・・・リング外側形状
Ｒａ・・貫通穴
Ｋ・・・掛止部材
Ｋ１・・輪形掛止部
Ｋ２・・紐形掛止部
Ｋ１ａ．Ｋ２ａ・・・ゴム留め輪
Ｋ２ｂ・・・キヤップ
Ｎ・・・ネーム
Ｆ１・・衣類ハンガーフック部
Ｆ２・・壁掛けフック部
Ｈａ、Ｈｂ、Ｈｃ、Ｈｄ、Ｈｅ・・・既存ハンガー種類の一例
Ｂ１・・棒体部
Ｂ２・・ラック棒体部
Ｓ・・・スカーフ
Ｔ・・・ネクタイ
【図１】
0003120959.tif 000003
【図２】
0003120959.tif 000004
【図３】
0003120959.tif 000005
【図４】
0003120959.tif 000006
【図５】
0003120959.tif 000007
【図６】
0003120959.tif 000008
【手続補正書】
【提出日】平成17年8月5日(2005.8.5)
【手続補正１】
【補正対象書類名】実用新案登録請求の範囲
【補正対象項目名】請求項１
【補正方法】変更
【補正の内容】
【請求項１】
人体やペットの既成ハンガー本体に、該リング吊り下げ器具を取り付け掛止し、別のハンガーをその下方に連ねるように吊り下げるハンガージョイントとして、又各種フック部やカバンの持ち手、ワイヤーネット、各種棒体などに取り付け掛止して、該本体に多種類の物が吊り下げられるリング式吊り下げ器具。
であって、物を吊り下げるリング内側形状をハート形（Ｒｕ）及び円形（Ｒｕａ）に施し、外側形状（Ｒｓ）は、ハートや動物、花、などの形状を設け、内側形状（Ｒｕ），（Ｒｕａ）と外側形状（Ｒｓ）の中間部（Ｎ）のスペースに企業名や商品名、名前などを施せる間隔を有し、その上部に掛止部材が挿通可能な貫通穴（Ｒａ）を設け、掛止部材（Ｋ）を、輪形掛止部（Ｋ１）と紐形掛止部（Ｋ２）の連結貫通穴（Ｒａ）に挿通しゴム留め輪（Ｋ１ａ）（Ｋ２ａ）で固定し、紐形掛止部（Ｋ２）の先端はキャツプ（Ｋ２ｂ）を嵌めて形成した極めて簡易で便利なことを特徴とするリング式吊り下げ器具。
【手続補正２】
【補正対象書類名】明細書
【補正対象項目名】００１２
【補正方法】変更
【補正の内容】
【００１２】
本考案は、上記を鑑みてなされたもので、縦長一連に多数のハンガーを積み重ねてジョイントし、クローゼットの限られたスペースに、縦のスペースを有効利用して、一本分のスペースに、図6の５枚分の上着やインナー、シャツ、ブラウス、スカート、ズボンなどを吊るして、横に順次掛けることにより、収納量も5倍にアップし、衣類のたたみジワも気にすることなく美整理が出来、コーディネートや，衣類の掛け外しの操作も簡単に出来るようにした。前記請求項1に記載の如く、一般家庭で使用されている既存のハンガー全種類と、クリーニングから戻ってきたハンガーのフック部分に、図1の該吊り下げ器具を取り付け掛止し、図4のハンガーの下部に、別のハンガーを連ねるように多数を吊り下げる、リング式吊り下げ器具であって、物を吊り下げるリング部材を加工自在なるポリプロピレンで形成し、内側（Ｒu）を突っかからない、滑りの良いハート形（Ｒｕ）、及びリング形（Ｒｕａ）にし、片手でも容易に掛け外しが出来るように直径３０ミリ以上に施し、幅に余裕を持たせて自在動が出来るようにした。また固定型形状の従来の金属性の細い棒体を曲げた形成と、板材を屈曲した形成のジョイントは、前後左右動自在にスイングができないので、ハンガージョイントを連ね多数掛けた衣類を、図6の横列に連ねて掛けた場合、ハンガージョイント自体の嵩張りや、衣類の厚みで、掛け外しに手間がかかり、操作性が困難であったジョイント部分に前後左右動自在にスイング出来る機能を持たせる為、掛止部材（Ｋ）に屈曲自在なるワイヤーモール部材を用いて輪形掛止部（Ｋ１）、紐形掛止部（Ｋ２）を設けて解決。又ジョイントの厚みの負担を軽くする為に、該部材を挿通する貫通穴（Ｒａ）を前面方向に施して解決した。また、リング部材のポリプロピレン及び掛止部材（Ｋ）の、ワイヤーモール部材は、その部材に限定されるものではなく適宜変えても良い。更に従来の衣類ハンガーその本体のフック部にリング式吊り下げ器具を取り付けて形成することも出来る。
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
人体やペットのハンガー本体に、リング吊り下げ器具を取り付け掛止し、別のハンガーをその下方に連ねるように吊り下げるハンガージョイントとして、又各種フック部やカバンの持ち手、ワイヤーネット、各種棒体などに取り付け掛止して、多種類のものが吊り下げられるリング式吊り下げ器具であって、物を吊り下げるリング内側形状をハート形（Ｒｕ）及び円形（Ｒｕａ）に施し、外側形状（Ｒs）は、ハートや動物、花などの形状を設け、内側形状（Ｒｕ），（Ｒｕａ）と外側形状（Ｒｓ）の中間部（Ｎ）のスペースに企業名や商品名、名前などを施せる間隔を有し、その上部に掛止部材が挿通可能な貫通穴(Ｒa)前面方向又は（Ｒｂ）側面方向を設け、掛止部材（Ｋ）を輪形掛止部（Ｋ１）と紐形掛止部（Ｋ２）の連結貫通穴(Ｒa)又は（Ｒｂ）に挿通し、留め輪（Ｋ１ａ）,（Ｋ２ａ）で固定し、紐形掛止部（Ｋ２）の先端はキャップ(Ｋ２ｂ)を嵌めて形成した極めて簡易で便利なことを特徴とするリング式吊り下げ器具。
【請求項２】
衣類を掛けるハンガーにおいて、複数を連結して掛けられたハンガーを引掛け棒の横列に連ねるように重ね吊りした場合、特に掛け外しに手間をかけず容易に操作が出来るようにするために、ハンガーフックを吊り下げる内側は、ハンガーフックが突っかからないように、滑らかなハート形（Ｒｕ）及び円形（Ｒｕａ）なる形状にして、片手で掛け外しが容易にできるように、前後左右動自在にスイングする機能を持たせるための部材として、掛止部材(Ｋ)に屈曲自在なるワイヤーモールなる部材を輪形掛止部(Ｋ１)と紐形掛止部(Ｋ２)に施したことを特徴とする請求項１記載のリング式吊り下げ器具。
【請求項３】
前記、輪形掛止部（Ｋ１）を、衣類ハンガー中央フック先端（Ｆ１）から挿通して取り付け掛止し、別のハンガーに輪形掛止部（Ｋ１）を取り付け掛止した衣類ハンガーを、図4の如く多段式に掛止でき、また紐形掛止部（Ｋ２）は、縦の長さを短縮して衣類ハンガー中央フック部に捻止をして取り付けることにより、吊り下げられる衣類ハンガーの数が増やせ、衣類ハンガー以外でも自在に取り付け掛止して多目的に、使用可能なることを特徴とした請求項2記載のリング式吊り下げ器具。
【請求項４】
貫通穴の方向を（Ｒａ）前面又は（Ｒｂ）側面に設け、重ね吊りの際、厚みの負担を軽くし、使い易さを特徴とした請求項２又は３記載のリング式吊り下げ器具。
【請求項５】
該、輪形掛止部（Ｋ１）、紐形掛止部（Ｋ２）は、人体やペット用衣類既存ハンガーの全種類に取り付け掛止することが出来、しかも全種類のハンガーにジョイントして使用できることを最大の特徴とし、図５に示す如く上着とスカート、シャツ、スカーフを陳列できるので、衣類のデザインや色合いのコーディネートもトータルに確認でき、ファッション性を向上させられることが出来ることを特徴とした請求項2．3又は4記載のリング式吊り下げ器具。
【請求項６】
該、リング（Ｒ）は、用途別に拡大又は縮小に形成し、Ｆ２の各種フックやワイヤーネット、Ｂ２の棒体など掛止希望の場所に簡単に捻止して取り付けられる紐形掛止部材（Ｋ２）を施し、物を吊り下げる内側（Ｒu）に図6のネクタイ、スカーフ、ストール、タオル、バスタオル、ベルト、アクセサリーなど多種類の物を掛けて多目的に使用できる利便性を特徴とした請求項２.３．４又は５記載のリング式吊り下げ器具。
【請求項７】
該、リング(Ｒｓ)外側形状にハートや動物、花などを施し、子供から大人まで幅広く、生活のパートナーとして、可愛らしさや楽しさ、美しさ，貴品などを感じられることに気配りをしたことを特徴とした請求項２．３．４．５又は６記載のリング式吊り下げ器具。
【請求項８】
該、ハート形及び円形の内側（Ｒｕ）と外側（Ｒｓ）の中心部（Ｎ）の空間に企業名や商品名、名前、絵柄などを施すことができる範囲に形成したことを特徴とした請求項２．３．４．５．6又は7記載のリング式吊り下げ器具。
【手続補正２】
【補正対象書類名】明細書
【補正対象項目名】全文
【補正方法】変更
【補正の内容】
【考案の詳細な説明】
【技術分野】
【０００１】
本考案は、物を掛ける為のリング吊り下げ器具に係り、日頃使用している既存の衣類ハンガー本体の全種類フック下部に取り付け掛止して、上着やインナー、スカート、ズボン、ネクタイ、スカーフを一つ一つのハンガーに掛けて多数をジョイントすることにより衣類の収納量がアップでき、陳列した際にトータルコーディネートが出来るようにした。また安定した状態で吊り下げができ、ハンガーの掛け外しの操作性も向上させた。また吊り下げした際に、企業名や、商品名、名前などを施すのが困難な衣類用ハンガージョイントであっても、該器具を取り付け掛止すれば衣類の吊り下げの際、企業名や商品名、名前などを人が視認することが出来、さらに楽しくなれるようなデザインとハンガーの掛け外しを容易にできるように、該本体の構成に工夫を凝らし、ハンガーフックや、各種フック部、ワイヤーネット、カバンの持ち手、各種棒体にも、極めて簡単に取り付け掛止ができるようにし、用途別に多目的に使えるリング式吊り下げ器具に関するものである。
【背景技術】
【０００２】
衣類を掛けるハンガージョイントにおいて、ジョイント部分のフックや穴が小さく、しかも一連の厚みのある縦長形状固定型の形成で、前後左右動自在なるスイングがない為に、ハンガー中央部のフック部下方に、別のハンガーを多数重ね吊りしたハンガーを、横列の状態に引っ掛け棒に複数掛けた場合、ハンガージョイントと衣類の嵩張りや厚みにより、前後縦横が嵩張るためハンガーを掛ける場合、又ハンガーから取り外す場合、前、後、下衣に引っ掛かり、ハンガーを掛け外すことが困難で、操作が煩雑で操作性が悪かった。    
【０００３】
また、従来のハンガージョイントは、ジョイントできる衣類ハンガーが限定され、人体やペットの全種類の既存ハンガーにジョイントできないので、用途別に多目的に使用できる利便性はなかった。
【０００４】
衣類ハンガーは、実用品として毎日使用し注視しているので、ジョイント自体が美しく可愛らしくあれば、図り知れないほどの効果が期待されるが、従来のハンガージョイントのデザインは、実用品的なものが殆どであった。
【０００５】
従来から、衣類ハンガーは、人体の肩部に対応した形状をなしたハンガー本体と、該ハンガー本体と間隔を有するようにハンガー本体の下部に両端が固定された棒体と、前記ハンガー本体の上部に回転自在に取り付けられたフック材とで構成されたものが周知である。
【０００６】
かかるハンガーで上着とスカート又はズボン、ネクタイ、スカーフをコーディネートして陳列する場合、ハンガー本体に上着を掛け、ハンガーの棒体にスカートまたはズボンが掛けられて陳列される。このように掛ければ上着のみしか見えなくなり、スカートまたはズボンのデザインや色合いのコーディネートが確認しにくくなる。またネクタイやスカーフを連ねるように掛けることが出来ないので、一連にトータルコーディネートして吊り下げることが出来なかった。
【０００７】
各種製品の販売促進、各種企業や店舗の宣伝、広告の目的で街頭にてチラシ配布を容易にするために、ポケットティシュやうちわなどの実用品を無料配布することがなされている。しかしチラシは一顧して捨てられることも多いが、実用品は身の回りにおいて毎日使用し、注視しているので、その実用品自体の形状が美しく、可愛らしくあれば自然と明るく楽しくなり、夢なども感じられる可能性がある。そしてそのもの自体に企業名や名前、絵柄、電話番号などが明示してあれば、その効果は極めて高いものとなる。ゆえに従来のハンガーフックジョイントである細い棒体を屈曲して形成されているものと、ハンガー本体に縦長の棒体形状が垂下されているものには、企業名や名前、絵柄、電話番号などをジヨイント自体に施すことができない。また配布の方法は配布者が街頭に立って歩行者等に手渡したりポストに入れたりするから、重たい、大きい、長い、厚いハンガージョイントなるものは宣伝広告には不向きである。そのうえ搬送費用もかかる。
【０００８】
一方、新聞や情報紙、雑誌に宣伝内容を掲載したり、折り込み広告がされているが、やはり単なる記事やチラシである場合よりは、実用品として用いられ、使い捨てではなく毎日年間を通して使用し、注視できるものがその宣伝効果が高い。故に嵩張らない、軽い、小さい、薄肉であるリング形状の物が、配布や搬送に際して有利であり、運搬費、製造費用も掛からないという優位性と併せて一般品以上の商品価値を有するものとなり、無料で配布する宣伝用だけでなく、購買価値を有する独立した商品となることが見込まれるところであるが、従来のハンガージョイントでは難しいところである。
【０００９】
【特許文献１】特開Ｈ６-38226号公報
【特許文献２】特開Ｓ63-83082号公報
【特許文献３】特開Ｓ62-100085号公報
【特許文献４】特開2004-248953号公報
【特許文献５】特開2002-336117号公報
【非特許文献１】スチールハンガーフック、株式会社サワフジ製（市販品）、
【考案の開示】
【考案が解決しようとする課題】
【００１０】
しかしながら、一般家庭での上着やブラウス、シャツ、スカート、ネクタイなどの衣類は、ハンガーに掛けてクローゼットなどの引掛け棒に吊り下げて収納しているが、収納できるスペースが限られているので吊り下げられないほかの衣類は、整理ダンスやケースに折りたたんで収納している。ところが着用したい目的の衣類を探すのも、デザインや、色、柄なども忘れていることもあり、洋服のコーディネートや、折ジワにアイロンをかける作業に、極めて手間がかかり、収納してあることさえ忘れることもある。このような衣類を効率よく美整理が出来、収納量アップを図れることを目的に、ハンガージョイントによってなされていたが、衣類の嵩張りや、厚みが出る為、多数掛けたハンガーを横列に連ねるように掛けた場合、衣類を掛けたハンガーとハンガーの間のハンガーを掛け外す時に手間がかかり、操作が困難であった。
【００１１】
また、ハンガーフックジョイントは、金属製の細い棒体を曲げた形成と、板材を屈曲して形成されているものであるから、全種類の既存のハンガーフックにジョイントすることや、企業名や名前などを施すことが困難であったが、それらのハンガーフックを採用した場合であっても、全種類のハンガーフックに取り付け掛止することが出来、収納量アップ及び操作性の向上が図れ、更に衣類を陳列した際に、企業名や名前などを、人が視認することが出来るリング式吊り下げ器具を提供することを課題とする。
【課題を解決するための手段】
【００１２】
本考案は、上記を鑑みてなされたもので、縦長一連に多数のハンガーを積み重ねてジョイントし、クローゼットの限られたスペースに、縦のスペースを有効利用して、一本分のスペースに、図6の５枚分の上着やインナー、シャツ、ブラウス、スカート、ズボンなどを吊るして、横に順次掛けることにより、収納量も5倍にアップし、衣類のたたみジワも気にすることなく美整理が出来、コーディネートや，衣類の掛け外しの操作も簡単に出来るようにした。前記請求項1に記載の如く、一般家庭で使用されている既存のハンガー全種類と、クリーニングから戻ってきたハンガーのフック部分に、図1の該吊り下げ器具を取り付け掛止し、図4のハンガーの下部に、別のハンガーを連ねるように多数を吊り下げる、リング式吊り下げ器具であって、物を吊り下げるリング部材を加工自在なるポリプロピレンで形成し、内側（Ｒu）を突っかからない、滑りの良いハート形（Ｒｕ）及びリング形（Ｒｕａ）にし、片手でも容易に掛け外しが出来るように直径２５ミリ以上に施し、幅に余裕を持たせて自在動が出来るようにした。また固定型形状の従来の金属性の細い棒体を曲げた形成と、板材を屈曲した形成のジョイントは、前後左右動自在にスイングができないので、ハンガージョイントを連ね多数掛けた衣類を、図6の横列に連ねて掛けた場合、ハンガージョイント自体の嵩張りや、衣類の厚みで、掛け外しに手間がかかり、操作性が困難であったジョイント部分に前後左右動自在にスイング出来る機能を持たせる為、掛止部材（Ｋ）に屈曲自在なるワイヤーモール部材を用いて輪形掛止部（Ｋ１）、紐形掛止部（Ｋ２）を設けて解決。又ジョイントの厚みの負担を軽くする為に、該部材を挿通する貫通穴（Ｒａ）前面方向又は（Ｒｂ）側面方向に施して解決した。また、リング部材のポリプロピレン及び掛止部材（Ｋ）の、ワイヤーモール部材は、その部材に限定されるものではなく適宜変えても良い。更に従来の衣類ハンガーその本体のフック部にリング式吊り下げ器具を取り付けて形成することも出来る。
【００１３】
又、上記構成の輪形掛止部（Ｋ１）と，紐形掛止部（Ｋ２）のリング式吊り下げ器具を
採用すれば、ハンガーフック掛止部の解除が可能なので、リング式吊り下げ器具をハンガーフック（Ｆ１）から容易に取り外すことが出来、また別のハンガーへ容易に転用することが出来る。更にリング外側（Ｒｓ）はハート、動物、花などのデザインで形成され、その内側（Ｒｕ），（Ｒｕａ）との中間（Ｎ）のスペースに企業名や名前などを印刷することが出来る。企業名や名前などが印刷された、リング式吊り下げ器具を、図5のハンガーフック（Ｆ１）に掛止し、ハンガー（Ｈａ）に上着を掛け、その下にスカート、その下にシャツ、シャツを掛けたハンガーフックにリング式吊り下げ器具を掛止してスカーフを吊り下げた際に、衣類のデザインや色合いのコ―デイネートをトータル的に確認が出来る。その上、すべてハンガーフック（Ｆ１）掛止部にリング式吊り下げ器具を掛止したリング部分で、人が容易に企業名や名前などを認識することが出来る。又これらのデザインは、動物や花、星などに限定するものではなく必要に応じてどのようなデザインにしても良い。
【００１４】
更に印刷内容(図柄等)は、目的や想定される購買店の嗜好等に応じて適宜選定すれば良く、前述のように各種製品の販売促進、店舗の宣伝広告の目的でリング式吊り下げ器具を無料配布するのであれば企業名などを、又記念日の贈り物としては名前などを印刷すればよい。又独立した商品としてリング式吊り下げ器具を市販するのであれば美麗な花や貴品ある模様や絵柄などを印刷し、リング自体のカラーも適宜変えてよい。
【考案の効果】
【００１５】
以上の如く、本考案にかかるリング式吊り下げ器具を、既存の全種類のハンガーと、クリーニングから戻ってきたハンガーのフック部分及び各種フック、ワイヤーネット、棒体などに取り付け掛止、または捻止して取り付けして安定した状態で吊り下げられ、煩雑であった掛け外しの操作性も容易になり、クローゼットの限られたスペースの縦のスペースを有効利用して、一本分のスペースに5枚分を吊るし、その5枚分のハンガーを横列に複数吊るせば収納量が5倍にアップ出来る。また陳列した際に企業名や商品名、名前などを施すのが困難な衣類ハンガーを採用した場合であっても、人が企業名や商品名、名前などを明瞭に視認することが出来る。またデザイン性が楽しさや夢を感じさせる。
【００１６】
したがって、本考案のリング式吊り下げ器具は、各種製品の販売促進、各種店舗の宣伝、広告の目的で、街頭にて無料配布する際には、搬送や配布が有利である。またリング自体に企業名や名前などを印刷しておけば、実用品として身の回りにおいて使用される為、宣伝効果が極めて高いものとなる。また従来の一般品に比べて優れた実用的価値を有するので、購買価値を有する商品となる。
【考案を実施するための最良の形態】
【００１７】
以下本考案にかかる、リング式吊り下げ器具の実施形態を、図面を参照しつつ説明する。
【００１８】
図1は、本考案にかかるリング式吊り下げ器具を示す平面図であり、リング（Ｒ１）外側形状、ハート形（Ｒｓ）と内側形状、ハート形（Ｒｕ）及びリング（Ｒ６）外側形状円形（Ｒｓ）、内側形状円形（Ｒｕａ）を示し、上部に掛止連結貫通穴（Ｒａ）前面方向又は（Ｒｂ）側面方向に設け、衣類の嵩張りや、厚みの負担を軽くし、貫通穴（Ｒａ）又は（Ｒｂ）は、掛止部材（Ｋ）が挿通できるサイズにし、掛止部材（Ｋ）にワイヤーモールを選定して輪形掛止部（Ｋ１）、紐形掛止部（Ｋ２）を施し、衣類の嵩張りや厚みの負担を軽くし、掛止部に前後左右動自在にスイングする機能を設けて操作性を向上させた。またリング（Ｒ１），（Ｒ６）の外側（Ｒｓ）と内側（Ｒｕ）、（Ｒｕａ）の中間部（Ｎ）のスペースに企業名や商品名、名前などを施すことが出来る。
【００１９】
以上の構成で各々の貫通穴（Ｒａ）又は（Ｒｂ）に挿通して施されたもので、嵩張らない、軽い、小さい、薄肉の簡易な形成で極めて便利な実用品であり、前記に記載したように宣伝の際の配布や搬送が有利であり、使い捨てではなく毎日通年使用できる優位性がある。
【００２０】
図2は、リング式吊り下げ器具の分解図で、リング（Ｒ１）と貫通穴（Ｒａ）前面方向又は（Ｒｂ）側面方向の一体と、留め輪（Ｋ１ａ），（Ｋ２ａ）と、紐形の先端部分に嵌めるキャップ（Ｋ２ｂ）、そしてワイヤーモール部材（Ｋ）を示した。輪形及び紐形の掛止部を選択して各々構成することが出来、輪形掛止部（Ｋ１）は、ハート形リング（Ｒ１）の貫通穴（Ｒａ）又は（Ｒｂ）にワイヤーモール（Ｋ）を挿通し、真半分に折曲して二本を結び、輪の長さを調節しながら絡めるように捻り輪にし、貫通穴の上部付近に留め輪で固定して形成した。また紐形掛止部（Ｋ２）は、ハート形リング（Ｒ１）の貫通穴（Ｒａ）又は（Ｒｂ）にワイヤーモール（Ｋ）を挿通し、真半分に屈曲して二本を結び、貫通穴（Ｒａ）又は（Ｒｂ）の上部付近に留め輪で固定し、紐形の先端にキャップ（Ｋ２ｂ）を嵌めて固定して形成した極めて簡易な構成である。又掛止部材のワイヤーモール（Ｋ）先端のワイヤーの安全性を確保して加工してあれば、留め輪及びキャップを使わずワイヤーモールのみで形成しても良い。
【００２１】
以上の如く、簡易な構成であるが、利便性と実用的価値を有し、製造、運搬も容易であり、また製造費用、運搬費用も掛からないという優位性がある。
【００２２】
図3は、リング式吊り下げ器具の紐形掛止部（Ｋ２）をフック（Ｆ２）に捻止して取り付けた状態及びハンガーフックに捻止して取り付ける方法の過程である正面図と、ハンガーフックに捻止して取り付けた状態の背面図である。
【００２３】
該、器具が平易に取り付け出来ることを示している。
【００２４】
図4は、既存の衣類用全種類のハンガーフックと、クリーニングから戻ってきたハンガーフック下部に極めて平易に掛止できることを示した図で、衣類ハンガーフックに（Ｈａ）輪形掛止部（Ｋ１）をフック（Ｆ１）先端から挿通してフック下部前面に取り付け掛止する方法の過程と、多種類のハンガーフック（Ｈａ）、(Ｈｂ)、（Ｈｃ），（Ｈｄ），（Ｈｅ）に、ハート形(Ｒ１)や動物（Ｒ２），（Ｒ３）、花（Ｒ４），花柄（Ｒ５）などのデザインの、該、器具を掛止して連ねて吊り下げた正面図と輪形掛止部をハンガーフック（Ｆ１）に掛止した状態の背面図である。
【００２５】
したがって、限られたクローゼットのスペースの、縦のスペースを有効利用して、一枚分を掛けるスペースに5枚分を吊るして収納量を5倍にアップ出来るので、タンスやケースに折りたたんで収納してある衣類をスッキリと美整理することが出来ることを示している。
またリングのデザインは、企業や個人の嗜好や目的などで適宜変更して形成できる独自性のある実用品である。
【００２６】
図5は、既存のハンガーフックにリング式吊り下げ器具を掛止したハンガーを用いて上着を掛けたハンガーにスカートを掛け、スカートを掛けたハンガーにシャツを掛け、シャツを掛けたハンガーに掛止したリング吊り下げ器具にスカーフを安定した状態で陳列できることを示した正面図である。
【００２７】
衣類を陳列した際に衣類のデザインや色合い柄などのコーディネートを、トータル的に確認することが出来るので、ファッション性を向上させることが出来る。
また陳列した上着を掛けたハンガーにリング吊り下げ器具を掛け、リング中央部分（Ｎ）に企業名や名前などを印刷して明示すれば、人が毎日しかも通年、視認している実用品なので、宣伝効果が高いものとなる。
【００２８】
図6は、同実施形態にかかるハンガーフックにリング吊り下げ器具を取り付け掛止して、衣類を掛けたハンガーを多段式に掛止した別のハンガーを棒体横列に複数吊り下げて、縦の棒体に拡大して形成した紐形リング吊り下げ器具を捻止して取り付け、そのリング部分にネクタイを吊り下げた斜視図である。
【００２９】
前記のように掛けた場合でも、安定して掛けられ、掛け外しの際の操作性もよく、収納量もアップして、スッキリと収納し美整理が出来ることを示している。尚、リングは、目的や用途によって拡大、縮小しても良く、ネクタイの部分にベルトやストールなどを吊るしてもよいので、多目的に便利に使用できることを示している。
【図面の簡単な説明】
【００３０】
【図１】本考案にかかるリング式吊り下げ器具の平面図である
【図２】同考案の分解図である。
【図３】同実施形態にかかる紐形掛止部をフック及びハンガーフックに取り付け掛止した状態と掛止段階の正面図とハンガーに捻止して取り付けた状態の背面図である。
【図４】同実施形態にかかる輪形掛止部を衣類ハンガーフック先端から挿通する段階と、ハンガーフック下部に取り付け掛止した多種類のデザインのリングの一例と、既存ハンガーの多種類の一例を示し、多段式に吊り下げた正面図と、輪形掛止部を取り付け掛止した状態の背面図である。
【図５】同実施形態にかかるリング吊り下げ器具を用いて上着を掛けたハンガーにスカートを掛け、スカートを掛けたハンガーにシャツを掛け、シャツを掛けたハンガーに取り付け掛止したリング式吊り下げ器具にスカーフを吊り下げた正面図である。
【図６】同実施形態にかかるハンガーフックに該リング輪形掛止部を多段式に掛止した別のハンガーフックを、横列に吊り下げた斜視図と、棒体部分に該リング紐形掛止部を捻止して取り付けた該リング部分にネクタイを吊り下げた斜視図である。
【符号の説明】
【００３１】
Ｒ１・・・ハート形リング
Ｒ２、Ｒ３・・・動物形輪形リング
Ｒ４・・・花形輪形リング
Ｒ５・・・花模様入り輪形リング
Ｒ６・・・星模様入り輪形リング
Ｒ７・・・輪形リング
Ｒ８・・・拡大輪形リング
Ｒｕ、Ｒｕａ・・・リング内側形状
Ｒｓ・・・リング外側形状
Ｒａ・・・貫通穴前面方向
Ｒｂ・・・貫通穴側面方向
Ｋ・・・掛止部材
Ｋ１・・・輪形掛止部
Ｋ２・・・紐形掛止部
Ｋ１ａ、Ｋ２ａ・・・留め輪
Ｋ２ｂ・・・キャップ
Ｎ・・・ネーム
Ｆ１・・・衣類ハンガーフック部
Ｆ２・・・壁掛けフック部
Ｈａ、Ｈｂ、Ｈｃ、Ｈｄ、Ｈｅ・・・既存ハンガー種類の一例
Ｂ１・・・棒体部
Ｂ２・・・ラック棒体部
Ｓ・・・スカーフ
Ｔ・・・ネクタイ
【手続補正３】
【補正対象書類名】図面
【補正対象項目名】図１
【補正方法】変更
【補正の内容】
【図１】
0003120959.tif 000009
【手続補正４】
【補正対象書類名】図面
【補正対象項目名】図２
【補正方法】変更
【補正の内容】
【図２】
0003120959.tif 000010